(57)【特許請求の範囲】
【請求項１】
第１の主表面、第２の主表面及び４つの丸い突出部を有する十字形の形状の裏材層を含む創傷ドレッシングであって、前記裏材層の少なくとも一部分が少なくとも７０マイクロメートルの厚さを有する、創傷ドレッシングと、
前記裏材層の前記第１の主表面の少なくとも一部分上の接着層と、
前記裏材層の前記第２の主表面に取り外し可能に取り付けられたＴ字形のドレッシング支持層であって、前記裏材層の少なくとも一部分と重なるタブ部分及び前記タブ部分とは反対側の端部を有するドレッシング支持層と、
吸収性パッドとを含み、
前記端部は前記裏材層と重ならず、
前記タブ部分は前記吸収性パッドと実質的に重なり、且つ前記タブ部分は前記裏材層と接着していない、創傷ドレッシング及び供給システム。
【発明の詳細な説明】
【技術分野】
【０００１】
本開示は、創傷ドレッシング、及びより具体的には、身体の起伏の多い領域に適合するように設計された創傷ドレッシング及び支持供給システムに関する。
【背景技術】
【０００２】
より大きな接着剤フィルムで取り囲まれた吸収性の中央領域を使用する創傷ドレッシングが既知である。例えば、米国特許第５，７３８，６４２号（‘６４２号特許）は、薄い裏材の中央に定置された厚い吸収性パッドを含む、創傷ドレッシング及び供給システムを示す。キャリアフレームが創傷ドレッシングの周囲を取り囲み、それによって裏材に対して支持（例えば、剛性）を提供して、創傷に適用する間のドレッシングの取扱いを容易にしている。このようなドレッシングは、胸部、又は腹部などの、身体の比較的平坦な領域に適用されることが多い。
【発明の概要】
【発明が解決しようとする課題】
【０００３】
本開示は、吸収性パッドを囲む裏材材料を有する創傷ドレッシング、及び創傷ドレッシングの処理及び適用を促進する供給システムを提供する。創傷ドレッシングは片手で容易に扱い、適用することができ、これが他方の手を自由にして、創傷ドレッシングのより良い適用を確実にするために患者、又は患者の部分を位置付けるのを助ける。創傷ドレッシングは、足の指、手の指、又は踵などの身体の起伏の多い領域に対する改善された接着性を有し、これらの表面への容易な適用を可能にするように構成されている。
【課題を解決するための手段】
【０００４】
いくつかの実施形態では、創傷ドレッシング及び供給システムは裏材層の第１の側面上に接着層を含み、吸収性パッド、又は他の材料が接着層に適用されるか、又は取り付けられる。ドレッシング支持層は、裏材層の第２の側面上に位置付けられ、創傷ドレッシングを創傷に供給するように構成される。ドレッシング支持層は更にタブを含み、タブは創傷ドレッシングの裏材層と反対側の側面上の吸収性パッドの少なくとも一部分と重なる。
【０００５】
本発明を特徴付けるこれら及び様々な他の利点並びに特徴は、本明細書に添付され、本明細書の一部を形成する特許請求の範囲にて詳細に指摘される。しかし、本発明、その利点、及びその使用によって得られる目的を更に理解するため、本発明を図示し説明する添付図面及び記載内容を参照されたい。
【図面の簡単な説明】
【０００６】
本発明は図面を参照して更に説明されるが、対応する参照記号は複数の図面を通して対応する部分を示す。
【図１】本開示の一実施形態による創傷ドレッシングの平面図。
【図２】図１の創傷ドレッシングの側面図。
【図３】本開示の更なる実施形態による創傷ドレッシングの平面図。
【図４】図３の創傷ドレッシングの側面図。
【図５】本開示の更なる実施形態の創傷ドレッシングの平面図。
【図６】本開示の更なる実施形態の創傷ドレッシングの平面図。
【図７ａ】患者に適用されている図３の創傷ドレッシング。
【図７ｂ】患者に適用されている図３の創傷ドレッシング。
【図７ｃ】患者に適用されている図３の創傷ドレッシング。
【０００７】
本発明は様々な変更例及び代替形状が可能であるが、その具体例を一例として図面に示すと共に詳細に説明する。しかしながら本発明を、記載される特定の実施形態に限定しようとするものではないことは理解されるべきである。逆に、本発明は、本発明の趣旨及び範囲内に含まれる、すべての修正、等価な形態、及び代替形態を対象とすることを意図する。
【発明を実施するための形態】
【０００８】
本開示は、創傷ドレッシング及び供給システム、加えて、創傷ドレッシングを患者に、特に片手で位置付け、適用する方法を対象とする。創傷ドレッシング及び供給システムは手の指、足の指、又は踵などの、患者の起伏の多い表面上に適用するために特に適している。創傷ドレッシングが吸収性材料が創傷に対して定置されることを可能にする一方で、供給システムが身体上の創傷部位にわたって創傷ドレッシングを位置付け、創傷の周囲に封止を形成することを補助する。
【０００９】
いくつかの実施形態では、創傷ドレッシングは、吸収性パッド、裏材層、及び裏材層の上にあって吸収性パッドに面した接着層を備える。接着層及び裏材層は、吸収性パッドの周りの周囲を形成し、吸収性パッドを創傷上の適所で保持する。接着層及び裏材層によって形成された外辺部は、吸収性パッドを適切に位置付けられた状態で保ち、また、創傷の周囲の無菌環境を維持することも助け得る。
【００１０】
本明細書において記載される供給システムは創傷ドレッシングを患者に片手で位置付け、適用するための容易で効果的な方法を提供し、創傷ドレッシングを、手の指、足の指、又は踵などの身体の起伏の多い領域に適用するために特によく適している。本明細書で記載される創傷ドレッシングは一般的に、裏材層の一側面上の接着層を有する裏材層、及び接着層上の吸収性パッドからなる。支持層は、接着層の反対側の側面上で裏材層に取り外し可能に接着している。支持層は、裏材の反対側の側面上に位置する吸収性パッドの一部分と重なるタブを含む。いくつかの実施形態では、タブは、タブの容易な処理を可能にするため、結合防止材料で被服されているか、又は接着剤を有さない。創傷ドレッシングは、ドレッシングが使用される状態になるまで接着剤を保護するため、剥離ライナーを更に含み得る。
【００１１】
ここで図を参照すると、図１、及び図２は本開示の一実施形態による創傷ドレッシング及び供給システムの実施例を図示する。図１は、創傷ドレッシングの平面図であり、図２は図１の創傷ドレッシングの側面図である。創傷ドレッシング１０は、創傷ドレッシング１０の外辺部１５まで延在する裏材層１４の一側面上の接着層１７によって被覆された、中央に位置する吸収性パッド１２を含む。以下で更に詳細に記載されるが、裏材層１４は、不織布、織布、又は編材料に積層された、ポリウレタンフィルム基材から作製され得る。
【００１２】
少なくとも１つのドレッシング支持層１６が創傷ドレッシング１０の上に位置付けられる。図１に図示される実施形態では、ドレッシング支持層１６は、実質的に線状の構成を有し、タブ２０が一端にあり、タブ部分２０は吸収性パッド１２の位置と実質的に重なり、端部１８が、支持層１６の反対側の端部にある。支持層１６は、ポリマーフィルムなどの材料の単一片であることができ、又は２つ以上の別個の片であることができる。図１、及び図２に図示される支持層１６は、例えば、熱封止結合、又は接着剤の使用により、裏材層１４に少なくとも部分的に固定される材料の単一片である。熱封止の方法は、例えば、米国特許第５，９２８，９７２号に見出すことができ、その全開示が本明細書において参照として組み込まれる。
【００１３】
一実施形態において、タブ部分は、タブ２０による創傷ドレッシング１０の処理を促進するために、結合防止材料、又はライナーの使用により、裏材１４に固定されない。好適な結合防止材料の例は、米国特許第７，４４２，８４９号（Ｈｅｉｎｅｃｋｅ）に記載され、この全開示が、本明細書において参照として組み込まれる。
【００１４】
創傷ドレッシング１０は典型的には、創傷ドレッシングが使用される状態になるまで、接着層１７を保護するためにキャリアフィルム２４を含む。除去を促進するため、キャリアフィルム２４は、支持層１６の端部１８の上に突き出すタブ２６を有してもよい。キャリアフィルム２４は、患者に適用された創傷ドレッシングの表面を覆って、一般に、吸収性パッド１２及び接着層１７の周辺部と接触する。キャリアフィルム２４は、ユーザーがドレッシングを適用する準備ができるまで、創傷ドレッシング１０に取り付けられたままである。キャリアフィルム２４は、単一片若しくは複数片の剥離ライナーであってもよく、ドレッシングを収容する包装（図示なし）の一部であるか、又はそれに積層されるか、或いは単に包装内のドレッシングと共に封入されてもよい。キャリアフィルム２４は、創傷ドレッシング１０の保管及び輸送の間、接着剤を清浄に保つ。
【００１５】
創傷ドレッシング１０は、典型的には、最初に創傷を清浄にし、創傷の周りの領域がドレッシングを受け入れる準備ができていることを確認することによって、患者に適用される。キャリアフィルム２４はその後、タブ２６を把持してキャリアフィルム２４を引き剥がすことによってドレッシングから取り除かれ、吸収性パッド１２の底部、及び裏材層１４上の接着層１７の外周部を露出する。創傷ドレッシング１０がタブ２０で把持され、吸収性パッド１２の中央部が創傷と接触し、次にドレッシング１０の縁部１５が患者に対して静かに圧迫され、それによって裏材層１４の露出した接着剤外辺部が患者と接触して創傷の周囲に封止を形成する。
【００１６】
ドレッシング１０が適切に位置付けられ、かつ患者の皮膚に接着された後、支持層１６は取り除くことができる。一般的に支持層１６の除去は、タブ２０を把持し、次にドレッシング１０の縁部１５に向かって剥離する運動を使用して支持層１６を取り除くことによって達成される。あるいは、支持層１６を取り除くためにタブ１８が使用され得る。
【００１７】
図１、及び図２の創傷ドレッシング１０は、十字形の形状の裏材材料１４を図示し、タブ２０はほぼ丸い形状をとるが、当業者ならば理解するべきであるように、裏材層１４、及び支持層１６の形状は、本発明の趣旨から逸脱することなく様々な形状を取り得る。
【００１８】
図３、及び図４を参照すると、本開示の更なる実施形態による創傷ドレッシング３０が図示される。図３に図示される創傷ドレッシング３０は、異なる形状のタブ部分４０を有し、創傷ドレッシング３０は、他の点においては図１、及び図２に表されるドレッシングと同様であり、参照番号は、創傷ドレッシング１０、３０の同様の構成要素を指す。
【００１９】
図５は、異なる形状の支持層を有する、本開示のなお更なる実施形態の創傷ドレッシング５０を表す。創傷ドレッシング５０の支持層５６は、創傷ドレッシング５０の外辺部１５まで延在しない、端部５８を有する。既に記載された実施形態と同様に、創傷ドレッシング５０の処理を促進するため、タブ部分５２の下面は、（結合防止材料、又は他の手段のいずれかにより）創傷ドレッシングの裏材１４に取り付けられていない。支持層５６の残りの構造の少なくとも一部分は、例えば、熱結合により、又は接着剤の使用により、裏材層１４の表面に取り外し可能に取り付けられている。
【００２０】
図６は、本開示の創傷ドレッシング６０のなお更なる設計を表す。図６に表される創傷ドレッシング６０は、ほぼ円形の形状の裏材６４、及び図５の支持層５６と同様の形状であり、タブ部分６８、及び端部６２を有する支持層６６を有する。本明細書に記載される他の実施形態と同様に、支持層６６は、吸収性パッドの一部分と重なる裏材の一部分に取り外し可能に接着している。上記のように、処理を容易にするため、支持層６６のタブ部分６８は、裏材６４に接着していない。加えて、支持層６６のタブ部分６８は、創傷ドレッシング６０の裏材６４の反対側の側面上に位置する吸収性パッド１２と重なる。
【００２１】
一実施形態では、創傷ドレッシングは、およそ８．５ｃｍの長さ（タブを含む）を有する。図６に図示される円形の創傷ドレッシングなどの更なる実施形態では、創傷ドレッシングは、およそ７．５ｃｍの直径を有する。
【００２２】
患者の起伏の多い表面上の裏材材料の適合性を改善するために、支持層は創傷ドレッシングの外辺部の限定された部分のみを被覆するべきである。一実施形態では、支持層１６、５６、６６が裏材の外辺部の４０％未満を被覆し、更なる実施形態では、支持層は裏材の外辺部の２０％未満を被覆する。なお更なる実施形態では、支持層は、例えば、図５、及び図６に図示される実施形態において、裏材の外辺部の０％を被覆する。
【００２３】
本明細書に記載される創傷ドレッシングは、足の指、又は手の指などの身体の起伏の多い領域に片手で定置するためによく適している。吸収性パッドの反対側にタブを定置することによりユーザーがドレッシングを創傷上に容易に位置付けることが可能になる。
【００２４】
図７ａ〜ｃは、患者に適用されている図３の創傷ドレッシングを図示する。一度創傷、及び周囲の領域が清浄化されると、ユーザーは、図７に図示されるように、タブ４０で創傷ドレッシングを把持しながら、存在する場合、最初に剥離ライナー２４を取り除く。図７ｂに図示されるように、ドレッシングは、吸収性パッドが創傷領域を被覆するようにして、患者の上に定置される。ユーザーは次に、これを適所に固定するため、創傷ドレッシングの裏材に対して、手で僅かな圧力を適用する。最後に、図７ｃに図示されるように、支持層１６が、タブ４０を把持し、支持層１６を引き剥がすことによって創傷ドレッシングから取り除かれる。
【００２５】
支持層が裏材層１４から取り除かれるときに、裏材層の縁部に適用される力はドレッシング１０の外辺部とほぼ垂直である。この力は、創傷ドレッシングの外周部と平行であり、多くの場合患者の表面から外周部を持ち上げて離し、ドレッシングを緩めるか、創傷から流体が漏れる経路を作る可能性がある従来の支持層の剥離力と対照をなす。
【００２６】
ドレッシングの吸収性パッド１２は、裏材層が吸収性パッド１２を実質的に越えて、典型的には吸収性パッド１２の外辺部全体を越えて延在するため、「島状パッド」と称されることがある。例えば、吸収性パッドの直径は２．５ｃｍであり得、同時にこのパッドの裏材は７．２ｃｍ×７．２ｃｍであり得る。
【００２７】
吸収性パッド１２は、少なくとも１ｍｍ（例えば、最も好ましくは３〜９ｍｍ）の厚さを有する発泡体、ヒドロコロイド、又はヒドロゲルのパッドを含むことができ、裏材層１４は、１ｍｍ以下（例えば、最も好ましくは０．０２１〜０．０１ｍｍ）の厚さを有する透明な弾性高分子フィルム（例えば、ウレタン）を含むことができる。この実施形態では、吸収性パッド１２は、裏材層１４よりも厚いことが理解されるであろう。本実施形態の裏材層構成は、これが支持層１６、又は吸収性パッド１２によって適切に支持されないところで、それ自体に折り重なることがないように、十分に剛性であるべきである。典型的には、裏材の十分な剛性は、裏材層構成の少なくとも一部分が、０．０７０ｍｍを超える厚さを含む場合に得られる。裏材層の他の部分は、２１マイクロメートル（０．０２１ｍｍ）程度の薄さであり得る。
【００２８】
支持層１６は、裏材層１４の第２の主表面に取り付けられる（低接着性裏材の上に）。支持層１６と、裏材層１４との間の結合は、感圧接着剤１７とキャリア層２４との間の結合よりも強く、それによってキャリア層２４がドレッシング１０から取り除かれるときに、裏材層１４は支持層１６に取り付けられたままとなる。支持層の一部分は典型的には熱封止結合によって裏材層に取り付けられるが、他の方法が利用されてもよい。
【００２９】
当業者が理解するように、本明細書において記載される創傷ドレッシングの様々な実施形態の態様を加えるか、又は差し引くため、他の実施が適切である。例えば、裏材層１４は、本発明から外れることなく、又は本明細書で使用される用語「フィルム」の意味から逸脱することなく、複数のフィルム若しくはコーティングであることができる。同様に、吸収性パッド１２は、フィルム、ウェブ、シートなどを含む、多数の副層を含み得る。また、他の材料の追加的な層、及びフィルムが、本発明から逸脱することなく、本明細書において記載される材料の間に追加され得る。
【００３０】
以下に、本発明の様々な構成成分の追加の態様が更に詳細に記載される。
【００３１】
吸収性パッド
吸収性パッド１２は、織布若しくは不織布の木綿又はレーヨンが挙げられるがそれらに限定されない、様々な材料のいずれかで製造されることができる。吸収性パッド１２は、任意に、抗菌剤、経皮的薬物送達のための薬物、患者の体内のホルモン又は他の物質をモニターする化学指示薬などを包含する、多数の物質を包含するのに有用である。
【００３２】
吸収材は、米国特許第５，６２２，７１１号、及び同５，６３３，０１０号に記載されるヒドロコロイド組成物が挙げられる、ヒドロコロイド組成物を含んでもよく、これらの開示は参照として本明細書に組み込まれる。ヒドロコロイド吸収材は、例えば、天然ヒドロコロイド、例えば、ペクチン、ゼラチン、若しくはカルボキシメチルセルロース（ＣＭＣ）（Ａｑｕａｌｏｎ  Ｃｏｒｐ．，Ｗｉｌｍｉｎｇｔｏｎ，Ｄｅｌ．）半合成ヒドロコロイド、例えば、架橋カルボキシメチルセルロース（Ｘ４ｉｎｋ  ＣＭＣ）（例えば、Ａｃ−Ｄｉ−Ｓｏｌ；ＦＭＣ  Ｃｏｒｐ．，Ｐｈｉｌａｄｅｌｐｈｉａ，Ｐａ．）、合成ヒドロコロイド、例えば、架橋ポリアクリル酸（ＰＡＡ）（例えば、ＣＡＲＢＯＰＯＬ（商標）Ｎｏ．９７４Ｐ；Ｂ．Ｆ．Ｇｏｏｄｒｉｃｈ，Ｂｒｅｃｋｓｖｉｌｌｅ，Ｏｈｉｏ）、又はこれらの組み合わせを含み得る。一般に、ヒドロコロイド吸収剤構成成分は、約５重量％〜約６０重量％の吸収性組成物を含む。創傷ドレッシングに使用する吸収性組成物を調製する際、ヒドロコロイド吸収剤は、好ましくは、約２０重量％〜約４０重量％の組成物を含む。吸収性材料はまた、ポリマーゲル及び発泡体を含む他の合成及び天然材料から選択されてもよい。
【００３３】
裏材材料
裏材層のために好適な裏材材料としては、例えば、不織布繊維ウェブ、織布繊維ウェブ、編地、フィルム、多孔質フィルム、及び他の既知の裏材材料が挙げられる。裏材材料は、典型的には、半透明又は透明のポリマー弾性フィルムである。裏材は、水蒸気透過性の高いフィルム裏材であることができる。米国特許第３，６４５，８３５号（その開示は本明細書において参照として組み込まれる）は、このようなフィルムの作製方法、及びこれらの透過性を試験する方法を記載する。前述の裏材の組み合わせがまた使用され得る。
【００３４】
ある実施形態では、裏材材料は、ポリウレタンフィルムである。更なる実施形態では、不織布材料に積層されたポリウレタンフィルム裏材が使用される。このような不織布材料は、米国特許第５，０８８，４８３号（Ｈｅｉｎｅｃｋｅ）、及び米国特許第６，８８１，８７５号（Ｓｗｅｎｓｏｎ）に記載され、この全開示が、本明細書において参照として組み込まれる。裏材の厚さは、約２１〜１０００マイクロメートルの範囲であり得る。ある実施形態では、厚さは、約７０〜約５００マイクロメートルの範囲である。本実施形態の裏材層構成は、これが支持層１６、又は吸収性パッド１２によって適切に支持されないところで、それ自体に折り重なることがないように、十分に剛性であるべきである。典型的には、裏材の十分な剛性は、裏材層構成の少なくとも一部分が、７０マイクロメートル（０．０７０ｍｍ）を超える厚さを含む場合に得られる。
【００３５】
裏材は、有利には、ヒトの皮膚に等しい、又はそれを超える速度で水蒸気を透過するべきである。いくつかの実施形態では、接着剤コーティングされた裏材層は、倒置カップ法（inverted cup method）を使用して、少なくとも３００ｇ／ｍ２／２４時間／３７℃／１００〜１０％  ＲＨ、多くの場合少なくとも７００ｇ／ｍ２／２４時間／３７℃／１００〜１０％  ＲＨ、最も典型的には２０００ｇ／ｍ２／２４時間／３７℃／１００〜１０％  ＲＨの速度で水蒸気を透過する。
【００３６】
裏材層１４は、一般に、解剖学的表面に対して適合可能である。そのため、裏材層１４は、解剖学的表面に適用されたとき、その表面が動いたときであってもその表面に適合する。裏材層１４はまた、動物の解剖学的関節に対しても適合可能である。関節が屈曲し、次にその非屈曲位置に戻るとき、裏材層１４は、伸長して関節の屈曲に適応するが、関節がその非屈曲状態に戻るとき、関節に適合し続けるように十分に弾力的であるように作られることができる。
【００３７】
本発明と共に使用するための裏材層１４のこの特性の記述は、発行された米国特許第５，０８８，４８３号、及び同第５，１６０，３１５号に見出すことができ、これらの開示は、本明細書において参照としてそれらの全体を組み込まれる。特定の好適な裏材材料は、エラストマーポリウレタン、コポリエステル、又はポリエーテルブロックアミドのフィルムである。これらのフィルムは、裏材に見られる弾力性、高い水蒸気透過性、及び透明性の望ましい性質を組み合わせる。
【００３８】
支持層
支持層１６を形成するために使用される材料は、一般的に裏材層１４よりも剛性であり、患者への適用中に裏材層、及びドレッシング１０に適切な支持を提供する。支持層１６は、上記の低接着性コーティングを有して、又は有さずに、裏材層１４に対して熱封止可能であってもよい。広くは、支持層材料は、ポリエチレン／ビニルアセテートコポリマーでコーティングされた紙、及びポリエステルフィルムが挙げられるが、これらに限定されない。好適な支持層材料の一例は、ポリエチレン／ビニルアセテートコポリマーでコーティングされた、超カレンダー処理されたクラフト紙（１−８０ＢＫＧ−１５７  ＰＥ、Ｗｉｌｌｏｗｂｒｏｏｋ，Ｉｌｌ．のＬｏｐａｒｅｘ）である。支持層１６は、ドレッシングの折り畳みを促進するために、支持層の長さの一部分に沿って脆弱領域を形成するため、スリット、又は穿孔を含み得る。
【００３９】
感圧性接着剤
様々な感圧性接着剤が使用されて、裏材層１４上に接着層１７を形成し、裏材層を接着性にすることができる。感圧性接着剤は、米国特許第ＲＥ  ２４，９０６号に記載されているアクリレートコポリマー等のように、通常、適度に皮膚に対して適合性があり「低刺激性」であり、この開示は本明細書において参照として組み込まれる。米国特許第４，７３７，４１０号（この開示は本明細書において参照として組み込まれる）に記載される、９７：３のイソオクチルアクリレート：アクリルアミドコポリマーが特に有用であり、７０：１５：１５のイソオクチルアクリレート：エチレンオキシドアクリレート：アクリル酸ターポリマーが好適である。追加的な有用な接着剤は、米国特許第３，３８９，８２７号、同第４，１１２，２１３号、同第４，３１０，５０９号、同第４，３２３，５５７号、ＰＣＴ国際公開特許ＷＯ  ９９／２７９７５号、及び同第９９／２８５３９号に記載されており、この開示は本明細書において参照として組み込まれる。米国特許第４，３１０，５０９号、及び同４，３２３，５５７号（両方とも本明細書において参照として組み込まれる）に記載されるように、接着剤中に薬剤、又は抗菌剤を含めることがまた想到される。
【００４０】
裏材層の一方の主表面を接着性にするため、その上に感圧性接着層が一般的に提供され、低接着性コーティング（低接着性バックサイズ、すなわちＬＡＢ）が、支持層と接触する側上の裏材層１４の他方の主表面上に提供される。低接着性コーティングにより、他のテープ若しくはデバイスがドレッシング上に配置され、取り外されたとき、不必要なドレッシングの取り外しによってドレッシングを交換する必要性が低減され、リネン若しくは他の布地上でのドレッシングの表面摩擦が低減され、それによってドレッシングが偶発的に外れることに対する追加的な保護が提供される。本発明で使用するのに好適な低接着性裏材材料に関する記載は、米国特許第５，５３１，８５５号及び同第６，２６４，９７６号に見出すことができ、これらは以下に記載される熱融着接合と適合性であり、本明細書に全文が援用される。
【００４１】
キャリアフィルム
本発明と共に使用するのに適したキャリアフィルム２４は、クラフト紙、ポリエチレン、ポリプロピレン、ポリエステル、又はこれらの材料のいずれかの複合物で作製され得る。フィルムは、好ましくは、フルオロケミカル又はシリコーンなどの離型剤でコーティングされる。例えば、その開示が参照として本明細書に組み込まれる米国特許第４，４７２，４８０号は、低表面エネルギーのペルフルオロ化合物ライナーを記載している。ライナーは、シリコーンの剥離材料でコーティングされた、紙、ポリオレフィンフィルム、又はポリエステルフィルムである。市販のシリコーンコーティングした剥離紙の例は、Ｒｅｘａｍ  Ｒｅｌｅａｓｅ（Ｂｅｄｆｏｒｄ  Ｐａｒｋ，Ｉｌｌ．）から入手可能なシリコーン剥離紙、ＰＯＬＹＳＬＩＫ（商標）、及びＬｏｐａｒｅｘ  Ｉｎｃ．（Ｗｉｌｌｏｗｂｒｏｏｋ，Ｉｌｌ．）によって供給されるシリコーン剥離紙である。
【００４２】
「特許請求の範囲」に規定するような本発明の範囲から逸脱することなく、上述の構造、組成物、及び方法を様々に変化させることができるが、上述の説明に含まれる、又は添付図面に示される全ての事項は例証として解釈されるものであって、限定的な意味で解釈されるものではない。
本発明はまた、以下の内容を包含する。
（１）第１の主表面及び第２の主表面を有する裏材層を含む創傷ドレッシングであって、前記裏材層の少なくとも一部分が少なくとも約７０マイクロメートルの厚さを有する、創傷ドレッシングと、
前記裏材層の前記第１の主表面の少なくとも一部分上の接着層と、
前記裏材層の前記第２の主表面に取り外し可能に取り付けられたドレッシング支持層であって、前記裏材層の少なくとも一部分と重なるタブ部分を有するドレッシング支持層とを含む、創傷ドレッシング及び供給システム。
（２）前記ドレッシングが吸収性パッドを更に含む、項目（１）に記載の創傷ドレッシング及び供給システム。
（３）前記支持層が、前記吸収性パッドの一部分と重なる前記第２の主表面の一部分に取り外し可能に取り付けられた、項目（２）に記載の創傷ドレッシング及び供給システム。
（４）前記タブ部分が、前記裏材層に取り付けられていない、項目（１）〜（３）のいずれか一項に記載の創傷ドレッシング。
（５）（ａ）
第１の主表面及び第２の主表面を有する裏材層であって、前記裏材層の少なくとも一部分が少なくとも約７０マイクロメートルの厚さを有する裏材層と、前記裏材層の前記第１の主表面の少なくとも一部分上の接着層とを含む創傷ドレッシング、
前記裏材層の前記第１の主表面の少なくとも一部分上に配置される吸収性材料、及び
前記裏材層の前記第２の主表面に取り外し可能に取り付けられたドレッシング支持層であって、前記裏材層の少なくとも一部分と重なるタブ部分を有するドレッシング支持層を含む、創傷ドレッシング及び供給システムを提供する工程と、
（ｂ）前記ドレッシング支持層の前記タブ部分を把持することによって、創傷上に前記創傷ドレッシングを位置付ける工程と、
（ｃ）前記創傷ドレッシングを適用する工程とを含む、創傷ドレッシングを創傷に適用する方法。
（６）前記創傷ドレッシングが、吸収性パッドと、前記吸収性パッドの一部分と重なる前記裏材の一部分に取り外し可能に取り付けられた支持層とを更に含む、項目（５）に記載の方法。
（７）第１の主表面及び第２の主表面を有する裏材層を含む創傷ドレッシングと、
前記裏材層の前記第１の主表面の少なくとも一部分上の接着層と、
前記裏材層の前記第２の主表面に取り外し可能に取り付けられたドレッシング支持層であって、タブ部分及び端部を有するドレッシング支持層とを含む、創傷ドレッシング及び供給システムであって、
前記タブ部分が、前記創傷ドレッシングの中央部に近接する前記裏材層の少なくとも一部分と重なり、前記端部が前記裏材層の外辺部の一部分のみに延在する、創傷ドレッシング及び供給システム。
（８）第１の主表面及び第２の主表面を有する裏材層を含む創傷ドレッシングと、
前記裏材層の前記第１の主表面の少なくとも一部分の上の接着層と、
前記裏材層の前記第２の主表面に取り外し可能に取り付けられたドレッシング支持層であって、タブ部分及び端部を有するドレッシング支持層とを含む、創傷ドレッシング及び供給システムであって、
前記タブ部分が、前記創傷ドレッシングの中央部に近接する前記裏材層の少なくとも一部分と重なり、前記端部が前記裏材層の外辺部に延在しない、創傷ドレッシング及び供給システム。
（９）前記ドレッシングが吸収性パッドを更に含む、項目（７）又は（８）に記載の創傷ドレッシング及び供給システム。
（１０）前記支持層が、前記吸収性パッドの一部分と重なる前記裏材層の前記第２の主表面の一部分に取り外し可能に取り付けられた、項目（９）に記載の創傷ドレッシング及び供給システム。
（１１）前記端部が、前記裏材層の外辺部の４０％未満を被覆する、項目（７）に記載の創傷ドレッシング。
（１２）創傷ドレッシングを創傷に適用する方法であって、
（ａ）
第１の主表面及び第２の主表面を有する裏材層と、前記裏材層の前記第１の主表面の少なくとも一部分上の接着層とを含む創傷ドレッシング、
前記裏材層の前記第１の主表面の少なくとも一部分上に配置される吸収性材料、及び
前記裏材層の前記第２の主表面に取り外し可能に取り付けられたドレッシング支持層であって、前記ドレッシング支持層がタブ部分及び端部を有し、前記タブ部分が、前記創傷ドレッシングの中央部に近接する前記裏材層の少なくとも一部分と重なり、前記端部が前記裏材層の外辺部の一部分のみに延在する、ドレッシング支持層を含む、創傷ドレッシング及び供給システムを提供する工程と、
（ｂ）前記ドレッシング支持層の前記タブ部分を把持することによって創傷の上に前記創傷ドレッシングを位置付ける工程と、
（ｃ）前記創傷ドレッシングを適用する工程とを含む、創傷ドレッシングを創傷に適用する方法。
（１３）前記創傷ドレッシングが、吸収性パッドを更に含み、前記支持層が、前記吸収性パッドの一部分に重なる前記裏材層の一部分に取り外し可能に取り付けられている、項目（１２）に記載の方法。
【図１】
0005650651.tif 000002
【図２】
0005650651.tif 000003
【図３】
0005650651.tif 000004
【図４】
0005650651.tif 000005
【図５】
0005650651.tif 000006
【図６】
0005650651.tif 000007
【図７ａ】
0005650651.tif 000008
【図７ｂ】
0005650651.tif 000009
【図７ｃ】
0005650651.tif 000010